(57)【要約】【課題】足裏の土踏まずの部分のマッサージ効果を高めるマッサージ装置の提供。【解決手段】  マッサージ装置１において、人体の足部の足裏を施療する足裏施療部材となるマッサージ部材９が、足裏の幅方向に延びる回転軸１６を有し、この回転軸１６を中心としてマッサージ部材９を回転させることによって、足裏の内側となる土踏まずと足裏の外側となる部位を含む足裏全体をマッサージするものであり、揉み玉１０の回転領域の回転半径が、揉み玉１１の回転領域の回転半径より大きく設定されている。【選択図】  図１
2005131242.tif 000002
【特許請求の範囲】
【請求項１】
人体の足部の足裏を施療する足裏施療部材が、足裏の幅方向に延びる回転中心線を有し、この回転中心線を中心として前記足裏施療部材を回転させることによって、足裏の内側となる土踏まずと足裏の外側となる部位をマッサージするマッサージ装置であって、
前記足裏施療部材は、足裏施療部材の１回転において押圧力の強弱を与える複数の突起部分を有し、足裏の内側を施療する突起部分の前記回転中心における回転領域の回転半径が、前記足裏施療部材における足裏の外側を施療する突起部分の前記回転中心における回転領域の回転半径より、大径とされていることを特徴とするマッサージ装置。
【発明の詳細な説明】
【技術分野】
【０００１】
本発明は、人体の足裏をマッサージするマッサージ装置に関する。
【背景技術】
【０００２】
従来の足裏マッサージ装置は、両足の幅方向に延びる軸状の足裏施療部材を備えている。この足裏施療部材は、１本或いは複数本の軸からなり、この足裏施療部材の外周部に突起部分を備え、足裏施療部材の上に足裏を載せた状態で、足裏施療部材を軸周り方向に回転させることにより、マッサージを行うようになっている。
【特許文献１】特開平１０−３１４２５４号公報
【発明の開示】
【発明が解決しようとする課題】
【０００３】
しかしながら、上述のマッサージ装置では、足裏施療部材の軸周りに突起部分を有するものの、この突起部分の回転半径が足裏施療部材の左右両端部において等しく設定されているので、足裏の土踏まずの部分をマッサージする力が弱いという問題があった。
【０００４】
本発明は、このような問題に着目してなされたものであり、足裏の土踏まずの部分をも十分にマッサージできるようなマッサージ装置を提供することを目的とする。
【課題を解決するための手段】
【０００５】
上記課題を解決するために、本願のマッサージ装置は、人体の足部の足裏を施療する足裏施療部材が、足裏の幅方向に延びる回転中心線を有し、この回転中心線を中心として前記足裏施療部材を回転させることによって、足裏の内側となる土踏まずと足裏の外側となる部位をマッサージするマッサージ装置であって、
前記足裏施療部材は、足裏施療部材の１回転において押圧力の強弱を与える複数の突起部分を有し、足裏の内側を施療する突起部分の前記回転中心における回転領域の回転半径が、前記足裏施療部材における足裏の外側を施療する突起部分の前記回転中心における回転領域の回転半径より、大径とされていることを特徴とする。
【０００６】
この発明において、足部は靴等の履き物を履く部分を指している。足裏施療部材は足部の裏側を主として施療するものであり、足部の全幅方向に延びる回転中心線を有する。
【０００７】
足裏施療部材は、回転領域の回転半径が回転中心の周りに３６０度の範囲において長短の違いを有するものであり、足裏施療部材の１回転において、足裏に押圧力の強弱を与えることができるものである。
【０００８】
従って、足裏施療部材は、対向する複数の支持板間に複数本のローラを平行に取り付けてカゴ型に形成するものに限らず、回転中心に対する直交方向の断面の輪郭部に凹凸を形成した棒状の回転体であっても良い。
【発明の効果】
【０００９】
本発明にかかるマッサージ装置によれば、土踏まずを施療する部分の径を足裏の外側部分を施療する部位の径より大きくしたので、土踏まずの部分のマッサージ効果が高くなる。
【発明を実施するための最良の形態】
【００１０】
以下、本発明を実施するための最良の形態にかかるマッサージ装置を説明する。図１は、このマッサージ装置を示す。マッサージ装置１は、人体の足部の足裏を施療する足裏施療部材となるマッサージ部材９が、足裏の幅方向に延びる回転中心線（回転軸１６の回転中心線）を有し、この回転軸１６を中心としてマッサージ部材９を回転させることによって、足裏の内側となる土踏まずと足裏の外側となる部位を含む足裏全体をマッサージするものである。
【００１１】
マッサージ部材９における足裏の内側を揉む揉み玉１０の回転領域の回転半径が、足裏の外側を揉む揉み玉１１の回転領域の回転半径より、大径とされている。
【００１２】
マッサージ部材９の回転中心線は足部の全長方向に対して直角方向（足部の全幅方向）に限定されるものではなく、足部の全幅方向に対して相当程度（マッサージが可能な程度）の角度を有するものであって良く、回転中心線が固定式であるものに限らず、略水平方向の面内或いは上下方向の少なくともいずれかにおいて一定範囲の角度内を揺動するものであっても良い。
【００１３】
マッサージ部材９は、この回転中心線上に対向して配設される一対の円板等の支持板１４，１５の間に複数の軸１２，１３を平行に取り付け、一対の支持板１４，１５の中心同士を結ぶ線を回転中心として回転させる略カゴ型のものである。
【００１４】
軸１２，１３の回転領域において、足裏の土踏まず部分と足裏の幅方向中心部分及び足裏の幅方向外側部分を支持する部位に、それぞれ筒状又は椀状の揉み玉１０，１１（突起部分）を形成し、足裏の土踏まず部分を支持する揉み玉１０の回転領域の回転半径を、足裏の幅方向外側部分を支持する揉み玉１１（突起部分）の回転半径より大きく設定している。
【００１５】
マッサージ部材９の回転中心線から輪郭線までの距離が３６０度の全範囲において長短の違いを有することによって、マッサージ部材９の１回転において、足裏に押圧力の強弱を与えることができるものである。
【００１６】
マッサージ部材９は、この実施の形態に示したように、対向する複数の支持板１４，１５間に複数本の軸１２，１３を平行に取り付けてカゴ型に形成するものに限らず、マッサージ部材９の全体形状が１本の或いは複数本の筒又はローラによって構成され、回転中心に対する直交方向の断面の輪郭部に凹凸を形成したものであっても良い。
【実施例】
【００１７】
以下、本発明の実施の形態にかかるマッサージ装置を図面を用いて説明する。
【００１８】
図３はマッサージ装置を示す図である。図３において、マッサージ装置１は、下部のケース２と上部のケース３とを有し、上部のケース３に足部４Ｒ，４Ｌの位置決め用の突出部５Ｒ，５Ｍ，５Ｌが形成されている。突出部５Ｒ，５Ｍの間に右側の足部４Ｒをおき、突出部５Ｌ、５Ｍの間に左側の足部４Ｌをおいてマッサージを行うようになっている。突出部５Ｒ，５Ｍの間には、開口部６Ｒが形成され、突出部５Ｌ、５Ｍの間に開口部６Ｌが形成されている。
【００１９】
又、突出部５Ｒの突出部５Ｍに対向する壁面Ｗ１にはマッサージ用のエアバッグ７Ｒが配設され、突出部５Ｍの突出部５Ｒに対向する壁面Ｗ２にはマッサージ用のエアバッグ７Ｌが配設されている。
【００２０】
突出部５Ｍの突出部５Ｌに対向する壁面Ｗ３にはマッサージ用のエアバッグ８Ｒが配設され、突出部５Ｌの突出部５Ｍに対向する壁面Ｗ４にはマッサージ用のエアバッグ８Ｌが配設されている。
【００２１】
エアバッグ７Ｒの基部７Ａは突出部５Ｒの突出部５Ｍに対向する壁面Ｗ１に支持され、エアバッグ７Ｌの基部７Ｂは突出部５Ｍの突出部５Ｒに対向する壁面Ｗ２に支持されている。エアバッグ８Ｒの基部８Ｂは突出部５Ｍの突出部５Ｌに対向する壁面Ｗ３に支持され、エアバッグ８Ｌの基部８Ａは突出部５Ｌの突出部５Ｍに対向する壁面Ｗ４に支持されている。
【００２２】
エアバッグ７Ｒ，７Ｌ，８Ｒ，８Ｌは、それぞれ後述するエアポンプ２２の動作と電磁バルブ２３の回路制御により、それぞれ当接する壁面に設けられた空気出入口（図示省略）より空気の注入吐出が行われて、膨張、収縮することによって、足部４Ｒ，４Ｌのマッサージが可能とされている。
【００２３】
開口部６Ｒ，６Ｌには、足部４Ｒ，４Ｌの足裏側を施療するための揉み部材としてのマッサージ部材９が設けられている。図１、図２はこのマッサージ部材９を示す。マッサージ部材９は、下部のケース２の内部に取り付けられている。マッサージ部材９は、直径の大きな椀状の揉み玉１０と、直径の小さな揉み玉１１と、揉み玉１０，１１を支持する軸１２，１３と、軸１２，１３の両端部を支持する支持板１４，１５と、支持板１４，１５の回転軸１６と、回転軸１６を支える軸受け部１７と、回転軸１６に回転力を与えるギア１８とを備えている。
【００２４】
揉み玉１０は内側が中空の椀型の形状を有しており、軸１２に回転可能に固定されている。揉み玉１０の外周部は足裏の土踏まず部分９Ａを十分に押圧できるように、揉み玉１１より大径とされている。軸１２には揉み玉１０と揉み玉１１とが回転可能に固定されている。軸１２の揉み玉１１は足裏の外側部分９Ｂを揉むように設けられている。軸１３には足裏の足幅方向の中央部近傍を揉むために揉み玉１１が回転可能に取り付けられている。
【００２５】
図４に示すように、支持板１４，１５において、軸１２，１３はそれぞれ一対固定して設けられており、一対の軸１２は回転軸１６を中心として対象の位置に設置され、一対の軸１３は回転軸１６を中心として対象の位置に設置されている。一対の軸１２，１３は回転軸１６を中心として９０度離れた位置に設置されている。一対の軸１２と一対の軸１３の回転半径は等しく設定されているが、揉み玉１０が回転軸１６の回転に伴って回転する回転領域Ａの半径は、揉み玉１１の回転領域Ｂの半径より大きく設定されており、土踏まず部分９Ａが回転軸１６から遠ざかる位置にあっても、土地踏まず部分９Ａに十分な押圧力が加えられるようになっている。
【００２６】
回転軸１６の両端部近傍には支持板１４が軸方向に動かず空回りしないように固定されており、回転軸１６の長手方向の中心部にギア１８が軸方向に動かないように固定されている。回転軸１６のギア１８の近傍には支持板１５が軸方向に動かず且つ空回りしないように固定して取り付けられている。
【００２７】
回転軸１６の両端部は軸受け部１７のベアリング１８の内側のリングに固定されている。ベアリング１８の外側のリングは、取付金具１９に押さえられ、取付金具１９はネジ（図示省略）によって軸受け部１７に固定されている。軸受け部１７は下部のケース２の底板部２Ａに一体に形成されて固定されている。
【００２８】
ギア１８には回転軸１６が貫通している。ギア１８は外周部に歯１８Ａが形成されており、歯１８Ａにはモーター２０の回転軸に取り付けられたウォームギア（図示省略）が噛み合っている。
【００２９】
モーター２０は下部のケース２の底板部２Ａに取り付けられたトランス２１から給電されて回転する。トランス２１には図示しないメインスイッチを介して図示しない電源コードが接続されており、電源コードのプラグを商用電源のコンセントに接続してメインスイッチを導通することにより、トランス２１がモーター２０に給電する。ケース２の底板部２Ａにはエアポンプ２２が取り付けられており、エアポンプ２２と電磁バルブ２３とエアバッグ７Ｒ〜８Ｌは図示しない配管を介して接続されている。
【００３０】
エアポンプ２２は、エアバッグ７Ｒ〜８Ｌがマッサージのモードにあるときに、トランス２１近傍に設置された制御基板（図示省略）の制御により、トランス２１からの電力供給を受けて、エアバッグ７Ｒ〜８Ｌ内部への空気の注入及び内部からの空気の吐出を行う。このエアバッグ７Ｒ〜８Ｌの空気の注入・吐出は、電磁バルブ２３のエア回路切換により行われる。
【００３１】
電磁バルブ２３は、エアポンプ２２の空気供給口と接続される注入口２３Ａと、大気開放口（図示省略）と、エアバッグ７Ｒ、７Ｌに空気を供給したり、エアバッグ７Ｒ，７Ｌからの空気を吐出する接続口２３Ｒと、エアバッグ８Ｒ、８Ｌに空気を供給したり、エアバッグ８Ｒ，８Ｌからの空気を吐出する接続口２３Ｌと、を備えている。
【００３２】
エアバッグ７Ｒ〜８Ｌの膨張時には、注入口２３Ａとエアバッグ７Ｒ〜８Ｌの空気出入口とが接続されることにより、電磁バルブ２３から圧縮空気が供給される。エアバッグ７Ｒ〜８Ｌの収縮時には、大気開放口とエアバッグ７Ｒ〜８Ｌの空気出入口とが接続されることにより、エアバッグ７Ｒ〜８Ｌの圧縮空気が電磁バルブ２３から大気に放出される。
【００３３】
電磁バルブ２３は、注入口２３Ａから入力された空気を、エアバッグ７Ｒ〜８Ｌへ同時に供給したり、エアバッグ７Ｒ、７Ｌのグループと、エアバッグ８Ｒ，８Ｌのグループとに分けて供給することも可能とされている。
【００３４】
トランス２１の近傍には基板（図示省略）が設けられており、トランス２１からモーター２０、エアポンプ２２、電磁バルブ２３に給電される電力制御が行われる。
【産業上の利用可能性】
【００３５】
本発明にかかるマッサージ装置は、人体の脚部特に足部をマッサージする装置において土踏まずの部分を効率的にマッサージするために好適である。
【図面の簡単な説明】
【００３６】
【図１】本発明の実施の形態にかかるマッサージ装置のマッサージ部材の構成を示す斜視図である。
【図２】図１のマッサージ部材の構成を示す斜視図である。
【図３】マッサージ装置の全体構成を示す斜視図である。
【図４】揉み玉（突起部分）の配置状態を示す説明図である。
【符号の説明】
【００３７】
１  マッサージ装置
２  下部のケース
３  上部のケース
９  マッサージ部材
１０  揉み玉（土踏まずを施療する突起部分）
１１  揉み玉（足裏の外側、足裏の中央部を施療する揉み玉）
１２，１３  軸
１４，１５  支持板
１６  回転軸
１８  ギア
２０  モーター
【図１】
2005131242.tif 000003
【図２】
2005131242.tif 000004
【図３】
2005131242.tif 000005
【図４】
2005131242.tif 000006